(57)【要約】【課題】従来の通信中継装置は、消費電力を低減することが出来ない問題があった。【解決手段】本発明の通信中継装置は、ＷＡＮ側通信インタフェース部１２と、ＬＡＮ側インタフェース部１３と、リンクレートテーブルを格納する記憶部１１と、通信制御部１０と、を有し、通信制御部１０は、リンクレートテーブルから選択した１組の通信パラメータをＬＡＮ側インタフェース部１３の動作パラメータに設定するパラメータ選択処理と、ＷＡＮ側通信インタフェース部１２に、公衆通信回線との第１の通信と、パラメータ選択処理において設定された動作パラメータに基づき動作するＬＡＮ側インタフェース部１３との第２の通信と、を時分割で行わせる確認処理と、第２の通信が成功したことに応じて確認処理の時にＬＡＮ側インタフェース部１３に設定した動作パラメータをＬＡＮ側インタフェース部１３の動作パラメータとして確定する動作パラメータ確定処理と、を行う。【選択図】図１
2017224873.tif 000002
【特許請求の範囲】
【請求項１】
公衆通信回線と通信を行うＷＡＮ側通信インタフェース部と、
通信規格において規定された通信パラメータが記述されたリンクレートテーブルを格納する記憶部と、
子機端末と通信を行うＬＡＮ側インタフェース部と、
前記ＷＡＮ側通信インタフェース部と前記ＬＡＮ側インタフェース部との間のデータの送受信を制御する通信制御部と、を有し、
前記通信制御部は、
前記リンクレートテーブルから選択した１組の通信パラメータを前記ＬＡＮ側インタフェース部の動作パラメータに設定するパラメータ選択処理と、
前記ＷＡＮ側通信インタフェース部に、前記公衆通信回線との第１の通信と、前記パラメータ選択処理において設定された動作パラメータに基づき動作する前記ＬＡＮ側インタフェース部との第２の通信と、を時分割で行わせる確認処理と、
前記確認処理において前記第２の通信が成功したことに応じて前記確認処理の時に前記ＬＡＮ側インタフェース部に設定した前記動作パラメータを前記ＬＡＮ側インタフェース部の動作パラメータとして確定する動作パラメータ確定処理と、
を行う通信中継装置。
【請求項２】
前記動作パラメータには、ＩＥＥＥ８０２．３において規定されたＭＣＳインデックス、Ｎｕｍｂｅｒ  ｏｆ  Ｓｔｒｅａｍｓ、変調方式、ビット数、符号化率、帯域幅、及び、ガードインターバルが含まれる請求項１に記載の通信中継装置。
【請求項３】
前記通信制御部は、前記子機端末の求めに応じて前記動作パラメータに関する情報を提示するＷｅｂＧＵＩを前記子機端末に提供するユーザインタフェース生成部を有する請求項１又は２に記載の通信中継装置。
【請求項４】
公衆通信回線と通信を行うＷＡＮ側通信インタフェース部と、
通信規格において規定された通信パラメータが記述されたリンクレートテーブルを格納する記憶部と、
子機端末と通信を行うＬＡＮ側インタフェース部と、
前記ＷＡＮ側通信インタフェース部と前記ＬＡＮ側インタフェース部との間のデータの送受信を制御する通信制御部と、を有する通信中継装置において前記通信制御部で実行される動作設定プログラムであって、
前記リンクレートテーブルから選択した１組の通信パラメータを前記ＬＡＮ側インタフェース部の動作パラメータに設定するパラメータ選択処理と、
前記ＷＡＮ側通信インタフェース部に、前記公衆通信回線との第１の通信と、前記パラメータ選択処理において設定された動作パラメータに基づき動作する前記ＬＡＮ側インタフェース部との第２の通信と、を時分割で行わせる確認処理と、
前記確認処理において前記第２の通信が成功したことに応じて前記確認処理の時に前記ＬＡＮ側インタフェース部に設定した前記動作パラメータを前記ＬＡＮ側インタフェース部の動作パラメータとして確定する動作パラメータ確定処理と、
を行う通信中継装置の動作設定プログラム。
【請求項５】
公衆通信回線と通信を行うＷＡＮ側通信インタフェース部と、
子機端末と通信を行うＬＡＮ側インタフェース部と、
前記ＷＡＮ側通信インタフェース部と前記ＬＡＮ側インタフェース部との間のデータの送受信を制御する通信制御部と、を有する通信中継装置において前記ＬＡＮ側インタフェース部の動作パラメータを設定する動作設定方法であって、
前記通信制御部により、通信規格において規定された通信パラメータが記述されたリンクレートテーブルから選択した１組の通信パラメータを前記ＬＡＮ側インタフェース部の動作パラメータに設定し、
前記ＷＡＮ側通信インタフェース部に、前記公衆通信回線との第１の通信と、設定された前記動作パラメータに基づき動作する前記ＬＡＮ側インタフェース部との第２の通信と、を時分割で行わせ、
前記第２の通信が成功したことに応じて前記確認処理の時に前記ＬＡＮ側インタフェース部に設定した前記動作パラメータを前記ＬＡＮ側インタフェース部の動作パラメータとして確定する通信中継装置の動作設定方法。
【発明の詳細な説明】
【技術分野】
【０００１】
本発明は通信中継装置、動作設定プログラム及び動作設定方法に関し、例えば、ＬＡＮ（Local Area Network）を介して接続されるユーザ端末からの通信をＷＡＮ（Wide Area Network）側に中継する通信中継装置、動作設定プログラム及び動作設定方法に関する。
【背景技術】
【０００２】
ローカルエリアネットワーク（ＬＡＮ：Local Area Network）側から外部ネットワーク（ＷＡＮ：Wide Area Network）側への通信、或いは、ＷＡＮ側からＬＡＮ側への通信を中継する通信中継装置が多く利用されている。この通信中継装置は、常時動作するものが多く消費電力を抑制することが求められている。そこで、通信中継装置における省電力化技術の一例が特許文献１〜３に記載されている。
【０００３】
特許文献１に記載の通信装置は、データが入力される入力手段と、前記データの優先度を判定する優先度判定手段と、設定された通信速度で前記データを無線通信により出力する出力手段と、前記優先度判定手段によって判定された前記データの前記優先度に応じて、前記出力手段から出力される前記データの前記無線通信の前記通信速度を設定すると共に、前記データの入力が検出されない場合には、前記出力手段から出力される前記データの前記無線通信の前記通信速度を前記データの入力が検出されている場合よりも遅く設定する速度制御手段と、を有する。これにより、特許文献１に記載の技術では、優先度が低いデータを通信する場合の消費電力を低減することができる。
【０００４】
特許文献２に記載の通信装置は、外部機器と無線通信可能な通信装置であって、前記外部機器から無線接続状態を確認する為のビーコン信号を受信可能な通常状態と、消費電力を低減させて前記ビーコン信号を受信できない省電力状態との切替えタイミングを設定する設定手段と、前記設定手段での設定に応じて、前記通常状態と前記省電力状態を切替える切替え手段と、を有する。これにより、特許文献２に記載の技術では、ビーコン信号を受信できない期間を用いて通信装置の消費電力を低減することができる。
【０００５】
特許文献３に記載の通信手段を有する省電力制御装置は、通信回線を介して使用者の認証処理を行う認証装置と通信する通信手段と、省電力制御の対象である省電力制御対象部が通常電力状態から省電力状態へ切り替わる場合に、前記通信回線における通信状態が、予め定めた通信規格により定められた非認証状態の場合には、認証状態にするために必要な情報が前記認証装置に送信されるように前記通信手段を制御するように、前記省電力対象制御部に含まれる制御手段に通知する通知手段と、を有する。これにより、特許文献３に記載の省電力制御装置は、省電力状態へ移行して予め定めた通信規格における非認証状態になった場合に、再認証を行わない場合と比較して、省電力状態から通常電力状態へ復帰できなくなるのを防止する。
【先行技術文献】
【特許文献】
【０００６】
【特許文献１】国際公開第２０１１／１２５１７５号
【特許文献２】特開２００８−１４７７８０号公報
【特許文献３】特開２０１１−０８２９２２号公報
【発明の概要】
【発明が解決しようとする課題】
【０００７】
しかしながら、特許文献１〜３に記載の技術では、通信を行わない省電力状態を用いて消費電力の低減、或いは、低優先度データに関する通信を行う状態で消費電力を低減を行うものであり、通信速度を十分に維持しながら消費電力を低減することが出来ない問題がある。
【課題を解決するための手段】
【０００８】
本発明にかかる通信中継装置の一態様は、公衆通信回線と通信を行うＷＡＮ側通信インタフェース部と、通信規格において規定された通信パラメータが記述されたリンクレートテーブルを格納する記憶部と、子機端末と通信を行うＬＡＮ側インタフェース部と、前記ＷＡＮ側通信インタフェース部と前記ＬＡＮ側インタフェース部との間のデータの送受信を制御する通信制御部と、を有し、前記通信制御部は、前記リンクレートテーブルから選択した１組の通信パラメータを前記ＬＡＮ側インタフェース部の動作パラメータに設定するパラメータ選択処理と、前記ＷＡＮ側通信インタフェース部に、前記公衆通信回線との第１の通信と、前記パラメータ選択処理において設定された動作パラメータに基づき動作する前記ＬＡＮ側インタフェース部との第２の通信と、を時分割で行わせる確認処理と、前記確認処理において前記第２の通信が成功したことに応じて前記確認処理の時に前記ＬＡＮ側インタフェース部に設定した前記動作パラメータを前記ＬＡＮ側インタフェース部の動作パラメータとして確定する動作パラメータ確定処理と、を行う。
【０００９】
本発明にかかる動作設定プログラムは、公衆通信回線と通信を行うＷＡＮ側通信インタフェース部と、通信規格において規定された通信パラメータが記述されたリンクレートテーブルを格納する記憶部と、子機端末と通信を行うＬＡＮ側インタフェース部と、前記ＷＡＮ側通信インタフェース部と前記ＬＡＮ側インタフェース部との間のデータの送受信を制御する通信制御部と、を有する通信中継装置において前記通信制御部で実行される動作設定プログラムであって、前記リンクレートテーブルから選択した１組の通信パラメータを前記ＬＡＮ側インタフェース部の動作パラメータに設定するパラメータ選択処理と、前記ＷＡＮ側通信インタフェース部に、前記公衆通信回線との第１の通信と、前記パラメータ選択処理において設定された動作パラメータに基づき動作する前記ＬＡＮ側インタフェース部との第２の通信と、を時分割で行わせる確認処理と、前記確認処理において前記第２の通信が成功したことに応じて前記確認処理の時に前記ＬＡＮ側インタフェース部に設定した前記動作パラメータを前記ＬＡＮ側インタフェース部の動作パラメータとして確定する動作パラメータ確定処理と、を行う。
【００１０】
本発明にかかる動作設定方法は、公衆通信回線と通信を行うＷＡＮ側通信インタフェース部と、子機端末と通信を行うＬＡＮ側インタフェース部と、前記ＷＡＮ側通信インタフェース部と前記ＬＡＮ側インタフェース部との間のデータの送受信を制御する通信制御部と、を有する通信中継装置において前記ＬＡＮ側インタフェース部の動作パラメータを設定する動作設定方法であって、前記通信制御部により、通信規格において規定された通信パラメータが記述されたリンクレートテーブルから選択した１組の通信パラメータを前記ＬＡＮ側インタフェース部の動作パラメータに設定し、前記ＷＡＮ側通信インタフェース部に、前記公衆通信回線との第１の通信と、前記パラメータ選択処理において設定された動作パラメータに基づき動作する前記ＬＡＮ側インタフェース部との第２の通信と、を時分割で行わせ、前記確認処理において前記第２の通信が成功したことに応じて前記確認処理の時に前記ＬＡＮ側インタフェース部に設定した前記動作パラメータを前記ＬＡＮ側インタフェース部の動作パラメータとして確定する。
【発明の効果】
【００１１】
本発明にかかる通信中継装置、動作設定プログラム及び動作設定方法によれば、通信速度を十分に維持しながら消費電力を低減することができる。
【図面の簡単な説明】
【００１２】
【図１】実施の形態１にかかる通信中継装置を含む通信システムのブロック図である。
【図２】実施の形態１にかかる通信中継装置で用いられるリンクレートテーブルの一例を説明する図である。
【図３】実施の形態１にかかる通信中継装置の動作を説明するフローチャートである。
【発明を実施するための形態】
【００１３】
実施の形態１
以下、図面を参照して本発明の実施の形態について説明する。説明の明確化のため、以下の記載及び図面は、適宜、省略、及び簡略化がなされている。各図面において、同一の要素には同一の符号が付されており、必要に応じて重複説明は省略されている。
【００１４】
以下で説明する通信中継装置は、無線信号により子機端末及び公衆通信回線と通信を行う例について説明するが、通信方式は無線通信に限らず有線通信であっても構わない。また、公衆通信回線としては、電話回線、光回線、ケーブル回線、３Ｇ（Third Generation）回線、ＬＴＥ（Long Term Evolution）回線等を適用できるが、以下では、３Ｇ回線、或いはＬＴＥ回線等の無線方式の回線網に対して通信を行う通信中継装置について説明する。また、通信中継装置と子機端末との通信は、例えば、ＩＥＥＥ８０２．１１ｎ、ＩＥＥＥ８０２．１１ａｃ等の無線方式で行うものとするが、有線方式を適用することもできる。
【００１５】
図１に実施の形態１にかかる通信中継装置１は、通信制御部１０、記憶部１１、ＷＡＮ側通信インタフェース部（例えば、公衆無線通信インタフェース部１２）、ＬＡＮ側通信インタフェース部（例えば、ローカル無線通信インタフェース部１３）を有する。また、図１では、通信中継装置１の通信相手となる公衆通信回線網及び子機端末（例えば、無線ＬＡＮ子機２０）を示した。無線ＬＡＮ子機２０としては、携帯端末、パーソナルコンピュータ等を用いることができる。
【００１６】
公衆無線通信インタフェース部１２は、アンテナ、パワーアンプ、復調変調回路、及び、符号復号回路を少なくとも含む。公衆無線通信インタフェース部１２は、通信制御部１０から受信する送信データに対して符号化処理及び変調処理を施して、変調後の送信信号をアンテナを介して公衆無線回線網に出力する。また、公衆無線通信インタフェース部１２は、公衆通信回線網から受信する受信信号に足して復調処理及び復号処理を施して、復号後の受信データを通信制御部１０に出力する。
【００１７】
ローカル無線通信インタフェース部１３は、アンテナ、パワーアンプ、復調変調回路、及び、符号復号回路を少なくとも含む。ローカル無線通信インタフェース部１３は、無線ＬＡＮ子機２０から受信する受信データに対して復調処理及び復号処理を施して、復号後の受信データを通信制御部１０に出力する。また、公衆無線通信インタフェース部１２は、公衆通信回線網から受信する受信信号に足して復調処理及び復号処理を施して、復号後の受信データを通信制御部１０に出力する。ローカル無線通信インタフェース部１３は、通信制御部１０から受信する送信データに対して符号化処理及び変調処理を施して、変調後の送信信号をアンテナを介して無線ＬＡＮ子機２０に出力する。
【００１８】
また、公衆無線通信インタフェース部１２及びローカル無線通信インタフェース部１３は、動作条件を決定する動作パラメータとしてＩＥＥＥ８０２．３で規定されたＭＣＳインデックス、Ｎｕｍｂｅｒ  ｏｆ  Ｓｔｒｅａｍｓ、変調方式、ビット数、符号化率、帯域幅、及び、ガードインターバルを少なくとも利用する。公衆無線通信インタフェース部１２は、動作パラメータを公衆通信回線網から取得する。一方、ローカル無線通信インタフェース部１３は、通信制御部１０により設定された動作パラメータを用いる。
【００１９】
記憶部１１は、上述した動作パラメータが記述されたリンクレートテーブルを格納する。リンクレートテーブルでは、通信制御部１０がローカル無線通信インタフェース部１３に１度に設定する通信パラメータの組み合わせを１つの動作パラメータとする。そこで、実施の形態１にかかる通信中継装置１で用いられるリンクレートテーブルの一例を図２に示す。
【００２０】
図２に示すように、リンクレートテーブルには、ＭＣＳインデックス毎にＮｕｍｂｅｒ  ｏｆ  Ｓｔｒｅａｍｓ、変調方式、ビット数、符号化率、帯域幅、及び、ガードインターバルが規定される。また、図２に示した例では、帯域幅は２０Ｍｚと４０ＭＨｚの２種類があり、ガードインターバルについても４００ｎｓと８００ｎｓがある。動作パラメータとして、通信パラメータを選択する際には、帯域幅とガードインターバルについては、いずれか一つが選択される。図１に示したガードインターバルの列に記載された数値はローカル無線通信インタフェース部１３に、そのリンクレートに紐付けられた通信パラメータ群を動作パラメータとして設定した際のリンクレートである。
【００２１】
通信制御部１０は、例えば、通信制御を行うためのマイクロコントローラ等の演算部を含む制御装置である。通信制御部１０は、公衆無線通信インタフェース部１２とローカル無線通信インタフェース部１３との間のデータの送受信を制御する。また、通信制御部１０は、ローカル無線通信インタフェース部１３の動作条件を設定する動作設定処理を行う。
【００２２】
通信制御部１０は、動作設定処理として、パラメータ選択処理、確認処理、動作パラメータ確定処理を行う。パラメータ選択処理では、通信制御部１０は、リンクレートテーブルから選択した１組の通信パラメータをローカル無線通信インタフェース部１３の動作パラメータに設定する。確認処理では、通信制御部１０は、公衆無線通信インタフェース部１２に、公衆通信回線との第１の通信と、パラメータ選択処理において設定された動作パラメータに基づき動作するローカル無線通信インタフェース部１３との第２の通信と、を時分割で行わせる。動作パラメータ確定処理では、通信制御部１０は、確認処理において第２の通信が成功したことに応じて確認処理の時にローカル無線通信インタフェース部１３に設定した動作パラメータをローカル無線通信インタフェース部１３の動作パラメータとして確定する。
【００２３】
上記動作設定処理は、通信制御部１０として設けられたハードウェアによる処理により実行することもできるが、実施の形態１では通信制御部１０で実行される動作設定プログラムにより行うものとする。
【００２４】
ここで、上述したプログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）ＣＤ−Ｒ、ＣＤ−Ｒ／Ｗ、半導体メモリ（例えば、マスクＲＯＭ、ＰＲＯＭ（Programmable ROM）、ＥＰＲＯＭ（Erasable PROM）、フラッシュＲＯＭ、ＲＡＭ（Random Access Memory））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００２５】
続いて、実施の形態１にかかる通信中継装置１の動作について説明する。そこで、図３に実施の形態１にかかる通信中継装置１の動作を説明するフローチャートを示す。なお、図３に示す通信中継装置１の動作は主に通信制御部１０によって公衆無線通信インタフェース部１２及びローカル無線通信インタフェース部１３を制御することで行われる。また、図３に示したローカル無線通信インタフェース部１３の動作パラメータ設定処理は、通信中継装置１の動作開始時、或いは、通信中継装置１が公衆通信回線網に再接続をした際に行われる。
【００２６】
図３に示すように、実施の形態１にかかる通信中継装置１は、ローカル無線通信インタフェース部１３の動作パラメータの設定処理を開始すると、通信制御部１０が記憶部１１に格納されているリンクレートテーブルを参照して、動作パラメータとして７つのパラメータからなる１組の通信パラメータを抽出する（ステップＳ１）。７つのパラメータとは、ＭＣＳインデックス、Ｎｕｍｂｅｒ  ｏｆ  Ｓｔｒｅａｍｓ、変調方式、ビット数、符号化率、帯域幅、及び、ガードインターバルである。
【００２７】
なお、通信制御部１０は、ステップＳ１のパラメータ選択処理を実行する毎にＭＣＳインデックスの値が小さい通信パラメータ群から順に選択する。また、公衆無線通信インタフェース部１２に設定された通信パラメータがある程度判明している場合には、判明している通信パラメータに近いＭＣＳインデックスに紐付けられた通信パラメータ群を最初に選択しても良い。
【００２８】
続いて、通信制御部１０は、ステップＳ１にて抽出された通信パラメータの数Ｐが７つに達しているか否かを確認する（ステップＳ２）。例えば、図２に示した例では、ＭＣＳインデックスが３２となるエントリには２０ＭＨｚの帯域幅とガードインターバルが定義されておらず、このＭＣＳインデックスに紐付けられた通信パラメータを選択した場合、ステップＳ１で抽出される通信パラメータの数Ｐは７よりも小さくなる。この場合（ステップＳ２のＮＯの枝）、通信制御部１０は再度ステップＳ１を実行する。一方、ステップＳ２において、ステップＳ１で抽出された通信パラメータの数Ｐが７つであった場合、通信制御部１０は、ステップＳ３の処理を実行する。
【００２９】
通信制御部１０は、ステップＳ３においてローカル無線通信インタフェース部１３の動作パラメータとしてステップＳ１で抽出した通信パラメータ群を設定する。その後、通信制御部１０は、公衆無線通信インタフェース部１２に、公衆通信回線との第１の無線通信と、ステップＳ１〜Ｓ３で行われるパラメータ選択処理において設定された動作パラメータに基づき動作するローカル無線通信インタフェース部１３との第２の無線通信と、を時分割で行わせる確認処理を行う（ステップＳ４）。
【００３０】
通信制御部１０は、ステップＳ４において、第２の無線通信が成功したことに応じて確認処理の時にローカル無線通信インタフェース部１３に設定した動作パラメータをローカル無線通信インタフェース部１３の動作パラメータとして確定する（ステップＳ５）。なお、ステップＳ５の確定処理において、第２の無線通信が失敗したと判断した場合（ステップＳ５）、通信制御部１０は、再度ステップＳ１〜Ｓ５の処理を行う。このステップＳ５においてローカル無線通信インタフェース部１３の動作パラメータが確定したことに応じて、通信制御部１０は設定処理を終了する。
【００３１】
一般的に、公衆無線通信インタフェース部１２は消費電力が小さい動作パラメータで動作するように動作パラメータが設定される。一方、ローカル無線通信インタフェース部１３は、公衆無線通信インタフェース部１２よりも高い通信速度、かつ、大きな消費電力となる動作パラメータが設定される。また、公衆無線通信インタフェース部１２に設定された動作パラメータは、通信制御部１０等が知ることは出来ない。つまり、一般的にローカル無線通信インタフェース部１３に対する動作パラメータでは、ローカル無線通信インタフェース部１３の通信能力がローカル無線通信インタフェース部１３の通信能力よりも大きく通信レートに無駄が生じ、かつ、消費電力も過大になる問題がある。
【００３２】
しかしながら、実施の形態１にかかる通信中継装置１は、ローカル無線通信インタフェース部１３の動作パラメータを公衆無線通信インタフェース部１２の動作パラメータに合わせる。これにより、実施の形態１にかかる通信中継装置１は、公衆無線通信インタフェース部１２側の通信レートとローカル無線通信インタフェース部１３の通信レートとを一致させ、通信レートの無駄を削減することができる。また、実施の形態１にかかる通信中継装置１は、ローカル無線通信インタフェース部１３において過大な通信能力により無駄に消費されていた電力を削減することができる。
特に、近年、バッテリから供給される電力で動作するモバイルルータの利用が広がっている。このモバイルルータでは利用可能な電力がバッテリの容量により制限されている。このように制限された電力に基づき動作するモバイルルータでは、消費電力の低減と通信レートの両立が重要である。そのため、実施の形態１にかかる通信中継装置１は、このようなモバイルルータに好適である。
【００３３】
なお、本発明は上記実施の形態に限られたものではなく、趣旨を逸脱しない範囲で適宜変更することが可能である。
【符号の説明】
【００３４】
１  通信中継装置
１０  通信制御部
１１  記憶部
１２  公衆無線通信インタフェース部
１３  ローカル無線通信インタフェース部
２０  無線ＬＡＮ子機
【図１】
2017224873.tif 000003
【図２】
2017224873.tif 000004
【図３】
2017224873.tif 000005